(57)【特許請求の範囲】
【請求項１】
モータと、前記モータのトルクにて回転するプーリと、前記プーリに装着されたベルトとを備え、前記モータが駆動することにより、前記ベルトとともに搬送物を移動するベルトコンベアにおいて、
当該ベルトコンベアは、前記プーリの回転時に常時作動する制動装置を備え、
前記制動装置の制動力は、弾性体の力で得られる摩擦によって負荷を生じてなることを特徴とするベルトコンベア。
【請求項２】
前記弾性体は、前記プーリとその軸受部との間に圧縮して設けたコイルばねであることを特徴とする請求項１記載のベルトコンベア。
【請求項３】
前記モータは、インダクションモータであることを特徴とする請求項１又は２記載のベルトコンベア。
【請求項４】
物品に付された識別データを検出して、前記物品をカウントする計数装置において、当該装置を制御する制御部と、前記識別データを検出するセンサと、前記物品を搬送して前記センサの検出位置にもたらす請求項１乃至３のいずれか記載のベルトコンベアとを備え、前記制御部が、前記センサにて検出された識別データを解読することにより、前記物品をカウントすることを特徴とする計数装置。
【請求項５】
前記制御部は、前記識別データを解読した結果、その物品が規格外であるときは、前記ベルトコンベアのモータ駆動を停止することを特徴とする請求項４記載の計数装置。
【請求項６】
前記物品は、前記識別データを記録する記録媒体が設けられたカードであることを特徴とする請求項４又は５記載の計数装置。
【発明の詳細な説明】
【０００１】
【発明の属する技術分野】
本発明は、モータと、モータのトルクにて回転するプーリと、プーリに装着されたベルトとを備え、モータが駆動することにより、ベルトとともに搬送物を移動するベルトコンベア、及びこれを用いた計数装置に関する。
【０００２】
【従来の技術】
パチンコ店の遊戯客が獲得した景品を買い取る業務においては、景品をカウントする計数装置が用いられている。このような景品の買い取り業務に用いる装置は、例えば特開平６−７９０５２号や、実用新案登録第３０３７３０７号等にも記載されている。
【０００３】
通常、この種の景品には、店舗のＩＤや、景品の種類や、景品の通し番号等を表す識別データが付されており、計数装置は、そのような識別データをセンサにて検出して、景品の代価を算出する構成となっている。
【０００４】
また、このような計数装置には、景品を搬送してセンサの検出位置にもたらすベルトコンベアが備えられており、カウントする景品は、複数個まとめて所定の投入部にセットされ、１つずつセンサの検出位置を通過する構成となっている。
【０００５】
【発明が解決しようとする課題】
ところで、前述したベルトコンベアは、駆動源としてモータを備えており、搬送の開始、終了、一旦停止等は、モータを制御することによってなされる。
【０００６】
しかしながら、このようなベルトコンベアの停止は、モータの回転子、プーリ、ベルト、及び搬送物等の慣性により、モータ駆動を停止した瞬間よりもある程度遅くなるという不都合がある。
【０００７】
つまり、ベルトコンベアについては、モータの励磁電流を停止しても急には止まらず、オーバーランが生じることから、このようなオーバーランを効率よく抑制する構成が望まれている。
【０００８】
本発明は、このような問題に鑑みてなされたものであり、搬送物を効率よく搬送することができるベルトコンベア、及びこれを用いた計数装置を提供することを目的としている。
【０００９】
【課題を解決するための手段】
本願第１請求項に記載した発明は、モータと、前記モータのトルクにて回転するプーリと、前記プーリに装着されたベルトとを備え、前記モータが駆動することにより、前記ベルトとともに搬送物を移動するベルトコンベアにおいて、当該ベルトコンベアは、前記プーリの回転時に常時作動する制動装置を備え、前記制動装置の制動力は、弾性体の力で得られる摩擦によって機械的な負荷を生じてなる構成のベルトコンベアであり、このような構成によると、搬送物が効率よく搬送される。
【００１０】
すなわち、ベルトコンベアの停止は、その慣性により、モータ駆動を停止した瞬間よりもある程度遅くなるという不都合があるが、本発明によれば、モータ駆動を停止すると、かかる制動装置により、ベルトコンベアが比較的速やかに減速されて停止するので、そのような不都合が満足に解消される。
【００１１】
特に、負荷を生じる摩擦は、弾性体の力で得ているため、搬送物を搬送する際には、その弾性により、円滑な動きを確保することが可能である。
【００１２】
本願第２請求項に記載した発明は、請求項１において、前記弾性体は、前記プーリとその軸受部との間に圧縮して設けたコイルばねである構成のベルトコンベアであり、このような構成によると、制動装置は効率よく構成することが可能である。
【００１３】
本願第３請求項に記載した発明は、請求項１又は２において、前記モータは、インダクションモータである構成のベルトコンベアである。
【００１４】
ここで、インダクションモータとは、固定子コイルに流れる交流電流によって発生する回転磁界と、回転子コイルに発生する誘導電流との相互作用によって、回転子が回転する交流モータであり、高トルクが得られるとともに価格が安く、汎用モータとして広く使用されている。従って、このようなモータを採用することによれば、安価にして優れた性能のベルトコンベアが得られる。
【００１５】
本願第４請求項に記載した発明は、物品に付された識別データを検出して、前記物品をカウントする計数装置において、当該装置を制御する制御部と、前記識別データを検出するセンサと、前記物品を搬送して前記センサの検出位置にもたらす請求項１乃至３のいずれか記載のベルトコンベアとを備え、前記制御部が、前記センサにて検出された識別データを解読することにより、前記物品をカウントする構成の計数装置であり、このような構成によると、物品が効率よく搬送される優れた計数装置が得られる。
【００１６】
本願第５請求項に記載した発明は、請求項４において、前記制御部は、前記識別データを解読した結果、その物品が規格外であるときは、前記ベルトコンベアのモータ駆動を停止する構成の計数装置であり、このような構成によると、規格外の物品が紛れ込んだ場合は、これを速やかに発見し、除去することが可能である。
【００１７】
本願第６請求項に記載した発明は、請求項４又は５において、前記物品は、前記識別データを記録する記録媒体が設けられたカードである構成の計数装置である。つまり本発明は、このようなカードをカウントする計数装置として好適に使用することが可能である。
【００１８】
【発明の実施の形態】
以下に、本発明の具体例を図面に基づいて詳細に説明する。
【００１９】
図１乃至図３に示すように、本例の計数装置１は、識別データが付されたパチンコの景品１１０，１２０，１３０をカウントするものである。
【００２０】
各景品１１０，１２０，１３０は、代価が異なる薄型の貴金属１１１，１２１，１３１をそれぞれ装着した同型のカードであり、装着した貴金属１１１，１２１，１３１の種類に応じて色分けされている。
【００２１】
また、各景品１１０，１２０，１３０には、記録媒体たるＩＣチップ１００がそれぞれ埋め込まれており、それらのＩＣチップ１００には、店舗のＩＤ、景品の種類、及び景品の通し番号を表す固有の識別データがそれぞれ記録されている。
【００２２】
本計数装置１は、各景品１１０，１２０，１３０に付された識別データを検出して、それらの景品をカウントするものであり、当該装置を制御する制御部２００と、当該装置を操作する複数の操作ボタンからなる操作部３００と、景品１１０，１２０，１３０を搬送するベルトコンベア４００と、識別データを検出するセンサ５００と、カウント結果を表示する表示部６００とを備えている。
【００２３】
制御部２００は、ＣＰＵ、ＲＡＭ、ＲＯＭ、ＥＥＰＲＯＭ等を配置した基板からなり、各部を制御する構成となっている。
【００２４】
操作部３００は、カウントの開始や終了等を操作するプッシュ式の操作ボタンを複数配列して構成されている。
【００２５】
ベルトコンベア４００は、その駆動源たるモータ４１０と、一対のプーリ４２０と、プーリ４２０に装着されたベルト４３０と、景品１１０，１２０，１３０を重ねてセットするセット部４４０とを備え、カウントの開始とともにモータ４１０が駆動することにより、セット部４４０にセットされた景品１１０，１２０，１３０が、セット部４４０の下側から一枚ずつベルト４３０とともに移動して、センサ５００の検出位置を通過する構成となっている。図１中の黒矢印は、景品１１０，１２０，１３０の排出方向を示す。
【００２６】
ベルト４３０には、景品１１０，１２０，１３０を一枚ずつ係止する桟４３１を適宜間隔で設けている。また、ベルト４３０の両脇にはレール（図示は省略）を配置しており、景品１１０，１２０，１３０は、ベルト４３０に牽引されつつ、レールの上を滑走する構成となっている。
【００２７】
モータ４１０としては、そのモータケースに減速用のギアボックスを一体に支持したインダクションモータを採用しており、所要のトルク及び回転数が安価に且つ効率よく得られる構成となっている。
【００２８】
更に、本例のベルトコンベア４００には、プーリ４２０の回転時に常時作動する制動装置４５０を設けている。
【００２９】
制動装置４５０は、弾性体たるコイルばね４５１を、駆動側のプーリ４２０とその軸受部４６０との間に圧縮して設けて構成している。かかる制動装置４５０の制動力は、コイルばね４５１の力による摩擦で機械的な負荷を生じて得られるものである。
【００３０】
コイルばね４５１は、両端に金属製の第１ワッシャ４５２及び第２ワッシャ４５３をそれぞれ設けたものであり、第１ワッシャ４５２を、樹脂製の第３ワッシャ４５４を介して軸受部４６０に押し当てるとともに、第２ワッシャ４５３を、プーリ４２０の軸４２１にボルト４５５でねじ止めして設けられている。
【００３１】
プーリ４２０の軸４２１は、軸受部４６０を貫通しており、その先端には、ボルト４５５を螺合する雌ねじ部４２２が設けられている。コイルばね４５１は、軸４２１の先端に固定されるとともに、その先端側の周囲に装着される。
【００３２】
また、軸受部４６０の要所には、第３ワッシャを保持する凹部４６１を設けている。
【００３３】
このような構成によると、プーリ４２０の回転時には、常時、第１ワッシャ４５２と第３ワッシャ４５４との摩擦、並びに、第３ワッシャ４５４と凹部４６１との摩擦で機械的な負荷が生じ、これが制動力となる。
【００３４】
そして、制動装置４５０がプーリ４２０の回転時に常時作動することによれば、ベルトコンベア４００は、モータ４１０駆動が停止されると速やかに減速されて停止し、慣性による不要なオーバーランは確実に抑制することができる。
【００３５】
つまり、モータ４１０駆動を停止した後、プーリ４２０の回転が完全に止まるまでは、制動装置４５０の制動力が得られる。
【００３６】
また、負荷を生じる摩擦は、コイルばね４５１の力で得ているため、景品１１０，１２０，１３０を搬送する際には、その弾性により、円滑な動きを確保することができる。
【００３７】
尚、制動装置４５０の制動力は、コイルばね４５１の弾性力に応じることから、ボルト４５５の締め付け具合によって調整することができる。
【００３８】
また、摩擦による磨耗は、樹脂製の第３ワッシャ４５４に集中するため、第３ワッシャ４５４は、ある程度磨耗したところで交換する。本構成によれば、制動装置４５０のメンテナンスを容易化することができる。
【００３９】
更に、本例においては、このような制動装置４５０を、駆動側のプーリ４２０に対して設けたが、或いは、従動側のプーリ４２０に対して設けることも可能である。
【００４０】
センサ５００は、電波を発射してＩＣを励振させ、その応答電波を受信する非接触式のものである。或いは、ＩＣチップ１００に外部端子を設けて、その外部端子に接触子を接触させる接触式のものであってもよい。また、ＩＣチップ１００から識別データを検出するとともに、そのＩＣチップ１００に所定の情報を書き込むように構成することも可能である。
【００４１】
景品１１０，１２０，１３０のカウントは、センサ５００にて検出された識別データを制御部が解読することによってなされる。
【００４２】
つまり、制御部２００には、あらかじめ、店舗のＩＤ、景品の種類、及び景品の通し番号に関する初期設定データが記憶されており、センサ５００にて検出された識別データは、このような初期設定データに基づいて解読される。
【００４３】
本例の制御部２００によると、識別データに応じて各種景品１１０，１２０，１３０の個数と、それらの代価のトータルがカウントされ、その結果は、表示部６００に表示される。
【００４４】
また、制御部２００には、このようなカウント結果を随時記憶するように構成しており、記憶されたカウント結果は、計数装置１にプリンタを接続することにより、プリントアウト可能となっている。
【００４５】
更に、本制御部２００は、識別データを解読した結果、その物品が規格外であるときは、モータ４１０の励磁電流を停止して、ベルトコンベア４００のモータ４１０駆動を停止する。更には、モータ４１０駆動を停止すると同時に、これを報知するブザーを鳴らしたり、表示部６００の表示をエラー表示したりするように構成してもよい。
【００４６】
このような構成によると、規格外の物品が紛れ込んだ場合は、これを速やかに発見し、除去することができる。従って、計数装置１の信頼性は一層向上することができ、偽物、不良品、又は盗品等の買い取りは、未然に防止することができる。
【００４７】
このように、本例の計数装置１は、識別データが付されたパチンコの景品１１０，１２０，１３０をカウントする計数装置として、極めて好適に使用することができる。また、パチンコの景品１１０，１２０，１３０は、識別データを記録する記録媒体１００が設けられたカードであり、ベルトコンベア４００は、このようなカードを効率よく搬送するものである。
【００４８】
尚、本例では、識別データを記録する記録媒体として、ＩＣチップ１００を用いたが、或いは、バーコードを用いることも可能である。バーコードを用いる場合、センサとしては、バーコードのパターンを光学的に検出する光センサを採用する。
【００４９】
また、本計数装置１におけるコンベア４００の構成は、その他の各種装置における搬送機構にも応用することができる。例えば、カードのＩＣチップに所定のデータの書き込みを行う装置にも応用することができる。
【００５０】
【発明の効果】
本願第１請求項に記載した発明は、モータと、前記モータのトルクにて回転するプーリと、前記プーリに装着されたベルトとを備え、前記モータが駆動することにより、前記ベルトとともに搬送物を移動するベルトコンベアにおいて、当該ベルトコンベアは、前記プーリの回転時に常時作動する制動装置を備え、前記制動装置の制動力は、弾性体の力で得られる摩擦によって負荷を生じてなる構成のベルトコンベアであり、このような構成によると、搬送物を効率よく搬送することができる。
【００５１】
本願第２請求項に記載した発明は、請求項１において、前記弾性体は、前記プーリとその軸受部との間に圧縮して設けたコイルばねである構成のベルトコンベアであり、このような構成によると、制動装置は効率よく構成することができる。
【００５２】
本願第３請求項に記載した発明は、請求項１又は２において、前記モータは、インダクションモータである構成のベルトコンベアであり、このような構成によると、安価にして優れた性能のベルトコンベアを得ることができる。
【００５３】
本願第４請求項に記載した発明は、物品に付された識別データを検出して、前記物品をカウントする計数装置において、当該装置を制御する制御部と、前記識別データを検出するセンサと、前記物品を搬送して前記センサの検出位置にもたらす請求項１乃至３のいずれか記載のベルトコンベアとを備え、前記制御部が、前記センサにて検出された識別データを解読することにより、前記物品をカウントする構成の計数装置であり、このような構成によると、物品を効率よく搬送することができる優れた計数装置を得ることができる。
【００５４】
本願第５請求項に記載した発明は、請求項４において、前記制御部は、前記識別データを解読した結果、その物品が規格外であるときは、前記ベルトコンベアのモータ駆動を停止する構成の計数装置であり、このような構成によると、規格外の物品が紛れ込んだ場合は、これを速やかに発見し、除去することができる。
【００５５】
本願第６請求項に記載した発明は、請求項４又は５において、前記物品は、前記識別データを記録する記録媒体が設けられたカードである構成の計数装置である。つまり本発明は、このようなカードをカウントする計数装置として好適に使用することができる。
【図面の簡単な説明】
【図１】  本発明の具体例に係り、計数装置を示す説明図である。
【図２】  本発明の具体例に係り、景品を示す説明図である。
【図３】  本発明の具体例に係り、ベルトコンベアの要部を示す分解斜視図である。
【符号の説明】
１      計数装置
１００      ＩＣチップ
１１０      景品
１１１      貴金属
１２０      景品
１２１      貴金属
１３０      景品
１３１      貴金属
２００      制御部
３００      操作部
４００      ベルトコンベア
４１０      モータ
４２０      プーリ
４２１      軸
４２２      雌ねじ部
４３０      ベルト
４３１      桟
４４０      セット部
４５０      制動装置
４５１      コイルばね
４５２      第１ワッシャ
４５３      第２ワッシャ
４５４      第３ワッシャ
４５５      ボルト
４６０      軸受部
４６１      凹部
【図１】
0003868746.tif 000002
【図２】
0003868746.tif 000003
【図３】
0003868746.tif 000004